(57)【要約】【課題】  本考案の解決しようとする課題は、全面押しタイプの小型平面スイッチのスイッチ感度の不良およびエアー圧による絶縁カバーの破断などを防止することのできる新規の小型平面スイッチを提供することにある。【解決手段】  本考案は、接離する間隙を挟んで上下のスイッチフィルムを重ね、該フィルムを絶縁カバーにて包被してなる全面押しタイプの小型平面スイッチにおいて、絶縁カバーと上下スイッチフィルムの一方または双方の間に介在させるシートまたは絶縁カバーの内面に設ける突起間にて押圧の際に上下スイッチフィルムの間のエアーを受入れる受入孔を設けたことを特徴とする小型平面スイッチにある。【選択図】  図１
0003108643.tif 000002
【実用新案登録請求の範囲】
【請求項１】
接離する間隙を挟んで上下のスイッチフィルムを重ね、該フィルムを絶縁カバーにて包被してなる全面押しタイプの小型平面スイッチにおいて、絶縁カバーと上下スイッチフィルムの一方または双方の間に介在させるシートまたは絶縁カバーの内面に設ける突起間にて押圧の際に上下スイッチフィルムの間のエアーを受入れる受入孔を設けたことを特徴とする小型平面スイッチ。
【請求項２】
シートおよび絶縁カバー、特に突起は押し潰れしない軟質の合成樹脂または硬度の高いゴムにて形成する請求項１に記載の小型平面スイッチ。
【請求項３】
上下スイッチフィルムの一方または双方にエアーの出入孔を設ける請求項１または２に記載の小型平面スイッチ。
【考案の詳細な説明】
【技術分野】
【０００１】
この考案は小型平面スイッチ、詳しくは絶縁カバーの全面を押してスイッチ作動させるようにした小型平面スイッチに関するものである。
【背景技術】
【０００２】
小型平面スイッチは接離する間隙を挟んで重ね合わせする上下のスイッチフィルムを絶縁カバーにて包被してなるが、その作動は大型のマットスイッチと違って上面の全面が押されるために、スイッチフィルム間のエアーの逃げ場がなく大きな抵抗となってスイッチ感度を不良にしているほか、使用の繰返しにより包被した絶縁カバーがエアー圧によって破断することがある。
【０００３】
例えば特開平１１−３３９５６６号公報に示すように、マットスイッチのような密閉形の電気機器のリード線に気体を流通する孔道を設けて、密閉された電気機器内のエアー圧を調整する提案がある。
【特許文献１】特開平１１−３３９５６６号公報
【考案の開示】
【考案が解決しようとする課題】
【０００４】
しかしながら、リード線内の孔道は細く長いために、エアーの流通は緩慢であり、従って該公報に示すように気温や標高などの変化には有効に対応することができるとしても、全面押しタイプの小型平面スイッチでは押圧したときに上下スイッチフィルム間のエアーは瞬間的に素早く抜出さねばならないために、採用し得ないという課題がある。また孔道１３より上下スイッチフィルム間に外部水や湿気が流入するおそれが生ずるという課題がある。
【課題を解決するための手段】
【０００５】
本考案は、接離する間隙を挟んで上下のスイッチフィルムを重ね合わせ、絶縁カバーにて包被して全面押し動作する小型平面スイッチにおいて、絶縁カバーと上下フィルムスイッチ間に押圧の際に上下スイッチフィルム間のエアーを受入れする受入孔を多設して、かかる課題を解決するようにしたのである。
【考案の効果】
【０００６】
本考案は、小型平面スイッチにおいて、上下スイッチフィルム間のエアーを押圧時にシートなどに設ける受入孔に押し流入させて溜め置くようにしたので、押圧時には上下スイッチフィルム間にはエアーが少なくなるをもって感度すこぶる良好においてスイッチングする効果を生ずる。押圧によるエアー圧が発生しないので包被した絶縁カバーに破断する個所は生じないという効果を生ずる。
【考案を実施するための最良の形態】
【０００７】
本考案は、絶縁カバーと上下スイッチフィルムの一方または双方との間に柔軟で押しても潰れない例えば塩化ビニールによるシートを介在させ、または絶縁カバーの内面に突起を設けて、これらのシートおよび突起間にてエアーの受入孔を多設して、スイッチ動作として上面より押圧したときに上下フィルム間のエアーを該受入孔に受け入れて、上下スイッチフィルムを抵抗なく接触させるようにしたのである。
【実施例１】
【０００８】
上下のスイッチフィルム１，２はフィルムの一面にそれぞれ導電材料をコーティングし、該コーティング面を相対するように重ねて形成する。両者間の接離する間隙３はコーティング面に絶縁性の小突子を点在するように付着させ、または小孔を多設した薄い弾性材を挟んで形成する。
【０００９】
重ねられた上下スイッチフィルム１，２は外側の両面または一面に柔軟で潰れない合成樹脂、例えば塩化ビニールにてなるシート４を当てて絶縁カバー５にて包被する。６ａ，６ｂはリード線である。
【００１０】
シート４は細長い形にてエアーの受入孔７を並列するようにして多設する。受入孔７の合計容量はスイッチフィルム１，２間の間隙３より十分な大きさを有している。この関係はシート４を上スイッチフィルム１の上側に一枚載せるのみでも満足されるようにする。また図５に示すように絶縁カバーの内面に設ける突起５ａにて受入孔７を設けるときも同じである。なお突起５ａは突条にて形成することもある。
【００１１】
このようにして形成する小型平面スイッチ８は図３に示すように座席９の腰掛け面１０上に載せたり、ベッド上に設置するなどして人の在・不在を検知するためなどに使用する。
【００１２】
人が座席９に腰掛けると小型平面スイッチ８は押されて上下のスイッチフィルム１，２を接触させる。この際両者間の間隙３に存在していたエアーは図２（ｂ）に示すように四周の外端から押出されてシート４の受入孔７に入って溜め置かれるのでスイッチフィルム１，２は抵抗なく接触してスイッチをＯＮすることとなる。
【００１３】
座席９の腰掛け面１０から人が離れると、押しが解かれることで間隙３が復活してスイッチはＯＦＦとなり、このＯＦＦによって、座席９の空席を知らせたり、動力作業車であれば安全のため自動的にエンジンやモータを停止し、またベッドに載せて使用する介護，看護にあっては患者が落ちたなとの警報にて知らせることとなる。
【実施例２】
【００１４】
図４は上下のスイッチフィルム１，２にエアーの出入孔１１を多設して、エアーが出入孔１１から直接受入孔７内に押出されるようにした例を示している。
【産業上の利用可能性】
【００１５】
以上のようにして、本考案の小型平面スイッチは押圧した際のスイッチ感度にすぐれ、また破裂も生じないこととなるので、安全装置や看護用などとして使用環境を問わず広く利用することができるものとなる。
【図面の簡単な説明】
【００１６】
【図１】一部を断截して示す小型平面スイッチの１例の斜視図
【図２】（ａ）は同、押圧前の状態を示す部分拡大断面図、（ｂ）は押圧時にエアーが受入孔に入る状況を示す断面図
【図３】小型平面スイッチを座席に設置した例を示す斜視図
【図４】上下のフィルムにエアーの出入孔を設けた例を示す部分拡大断面図
【図５】シートにかえて絶縁カバーと一体にて受入孔形成用の突起（突条）を設けた例を示す部分拡大断面図
【符号の説明】
【００１７】
１，２は上下のフィルムスイッチ
３は間隙
４はシート
５は絶縁カバー
５ａは突起（突条）
６ａ，６ｂはリード線
７は受入孔
８は小型平面スイッチ
９は座席
１０は腰掛け面
１１は出入孔
【図１】
0003108643.tif 000003
【図２】
0003108643.tif 000004
【図３】
0003108643.tif 000005
【図４】
0003108643.tif 000006
【図５】
0003108643.tif 000007